(57)【要約】【課題】指先およびその近くの周囲を局部的に照射し、しかも各種の手作業、指先作業の邪魔にならず、また、きわめて軽量、小形で、電池の交換もワンタッチで簡単に行い得る携帯指先ランプを提供する。【解決手段】手首に配置される電池収容筐体１と、この筐体１から指先位置まで伸長するフレキシブルチューブ２と、フレキシブルチューブ２の先端に設けられた発光部（ＬＥＤ）３と、発光部３からフレキシブルチューブ２を通って筐体内の一対の端子２０，２１に接続される被覆導電線２３と、筐体１に装着され、かつ、この筐体１を手首に巻き付けるための帯材４と、筐体１に取り付けられ、かつ、端子２０，２１を筐体内の電池２２に接触、離脱させるスイッチノブ８とを有している。【選択図】  図１
2007048518.tif 000002
【特許請求の範囲】
【請求項１】
手首に配置される電池収容筐体と、前記筐体から指先位置まで伸長するフレキシブルチューブと、前記フレキシブルチューブの先端に設けられた発光部と、前記発光部から前記フレキシブルチューブを通って前記筐体内の一対の端子に接続される被覆導電線と、前記筐体に装着され、かつ、該筐体を手首に巻き付けるための帯材と、前記筐体に取り付けられ、かつ、前記端子を前記筐体内の電池に接触、離脱させるスイッチノブとを有することを特徴とする携帯指先ランプ。
【請求項２】
前記発光部は発光ダイオード（ＬＥＤ）であることを特徴とする請求項１に記載の携帯指先ランプ。
【請求項３】
前記電池収容筐体に枢着された電池保持部材を有し、前記筐体は側部が部分的に開口しており、前記電池保持部材は、前記筐体内に収納され、かつ、円盤状の電池を位置決め状態に載置する電池搭載部と、前記電池搭載部に連接され、かつ、前記筐体の側部の開口を閉塞する側壁板と、前記電池搭載部に隣接して形成され、かつ、前記筐体に枢支される枢支部とを有し、前記電池保持部材を前記枢支部を支点にして前記筐体から外側へ旋回させることにより、前記電池搭載部が前記筐体の側部開口を通って外部に露出することを特徴とする請求項１または請求項２に記載の携帯指先ランプ。
【請求項４】
前記一対の端子のうち一方の端子は、前記筐体内に収納された前記電池搭載部上の円盤状の電池の下面に接触するように該筐体に固着され、他方の端子は、前記筐体に枢支された前記スイッチノブに固着されて該スイッチノブの回動により前記電池の上面に接触、離脱するようになっていることを特徴とする請求項１ないし請求項３に記載の携帯指先ランプ。
【発明の詳細な説明】
【技術分野】
【０００１】
本発明は、暗い場所での手作業に際して指先周囲を明るく照射することのできる携帯可能な指先ランプに関し、特に、人の手首に装着され、指先およびその周囲を照射し、指先を使う手作業の邪魔にならない携帯指先ランプに関する。
【背景技術】
【０００２】
携帯型の小形ランプとしては、例えば太めのペンシル状の筒体内に乾電池を収納し、筒体の先端に小電球を露出させたものが従来から知られており、筒体の頭部にクリップ状の挟み具を装着して服の胸ポケットなどに係止させて持ち運び可能としている。
【０００３】
上述の小形ランプは、使用する際にランプ本体の筒部を片手で保持して周囲を照射するので、両手を使う作業で手元を照らすには不便である。手作業の邪魔にならないようにした照明灯としては、ランプ本体部をベルトで頭部の額部分に装着する形式のもの、あるいは作業帽、例えばヘルメットの前面に直接装着したものなどが知られている。
【０００４】
また、発光部、つまり電球の部分の向きを変え得るように、電球を螺着するソケット部と電池収容箱を可撓性のチューブで連結し、前記チューブ内に導電線を通して前記電球のソケット部と前記電池収容箱内の電池を接続したものも実現している。電池収容箱内には、単３容量の乾電池を複数本収容し、また、この収容箱本体部の外面に開閉クリップ片を一体に形成し、衣服の胸ポケットや襟部分を収容箱本体部と前記クリップ片とで挟むようにして衣服に装着する構造としている。
【０００５】
その他、特許文献１に示すように、手首に装着した電池箱と指先に取り付けた電球ソケットとを電線で連結した指先照明ライト、あるいは特許文献２に示すように、乾電池収容筐体上にランプを首振り可能に枢支し、帯輪状の取付け部に前記筐体を止着し、この帯輪状取付け部を指あるいは釣竿に装着するようにした魚釣り用照明具が提案されている。
【特許文献１】実開昭５４−５５１８２号公報
【特許文献２】実開平６−３３３０２号公報
【発明の開示】
【発明が解決しようとする課題】
【０００６】
ペンシル型の小形ランプは、本体の筒部に挟み具を装着することで身体に付けて持ち運ぶには便利であるものの、両手を使う作業で使用者自身の手元を照射するには困難が伴う。人の頭部や帽子に装着する照明灯は、使用目的によっては大き過ぎて外観上抵抗を感じる場合があり、また、例えば狭い隙間に手を入れて手作業を行うような場合、頭上の照明灯の光が作業箇所の隙間内に有効に投光されず、手元を局部的に照射するものでないため、作業によっては不便となる。
【０００７】
上述した開閉クリップ片を電池収容箱に固着し、該電池収容箱から可撓チューブを介して電球を伸長させたものは、複数本の乾電池を内蔵させた収容箱が大形かつ重量物となり、また、人の身体に直接装着することができず、衣服の胸ポケットの布片を挟むようにして衣服に装着したとき、その重さで全体が垂れ下がり、電球が下向きとなってしまい、伸ばした手の手元、とりわけ手の指先まで光が当たらなくなる不具合がある。また、衣服の胸や襟元に装着する構造であるため、身体の動きに対して違和感が生じ、胸元位置から伸長する可撓チューブの長さにも限界があり、手を伸ばした状態での指先の細かな動作を伴う作業に対して、必要な箇所のみを局部的に照射することができない。
【０００８】
上述した特許文献１に示すものは、電球を螺入するソケットをベルトで指に固定する構造のため、電球の位置あるいは向きを変える場合は、その都度ベルトを外して他の指に付け替える必要があり、また作業途中の状況に応じて指から離れた近傍の空間箇所に電球のみを臨ませることができない。
【０００９】
特許文献２に記載のものは、指に装着した状態で電球の向きは変え得るものの、装置の取付け位置をそのままにして電球のみを伸長させて手の周囲の任意箇所に位置させることはできない。照明部を首振り状態に枢支するため、装置全体が大形となり、例えば狭い隙間に手を差し入れて作業するような場合には不向きである。
【００１０】
本発明は、上述の問題に鑑みてなされたものであって、手の指先近傍まで発光部が伸長して指先およびその近くの周囲を局部的に照射し、しかも各種の手作業、指先作業の邪魔にならず、また、きわめて軽量、小形で、電池の交換もワンタッチで簡単に行い得る携帯指先ランプを提供することを目的とする。
【００１１】
本発明の他の目的は、長期使用によっても発光部の交換の必要がなく、電力消費も少なく、また手先が辛うじて入るような狭い箇所でも有効に手先、指先周囲を照射でき、これによって、暗くて狭い場所での手作業を有効に行い得る携帯指先ランプを提供することにある。
【課題を解決するための手段】
【００１２】
本発明によれば、手首に配置される電池収容筐体と、前記筐体から指先位置まで伸長するフレキシブルチューブと、前記フレキシブルチューブの先端に設けられた発光部と、前記発光部から前記フレキシブルチューブを通って前記筐体内の一対の端子に接続される被覆導電線と、前記筐体に装着され、かつ、該筐体を手首に巻き付けるための帯材と、前記筐体に取り付けられ、かつ、前記端子を前記筐体内の電池に接触、離脱させるスイッチノブとを有する携帯指先ランプが提供される。
【発明の効果】
【００１３】
本発明に係る携帯指先ランプによれば、指先およびその周囲を有効に照射することができ、また手作業の邪魔にならず、小形、軽量であるため手首に装着しても違和感がなく、内蔵した電池の交換もきわめて簡単に行うことができる。
【発明を実施するための最良の形態】
【００１４】
次に本発明を、図面を参照しながら好適な実施形態について説明する。
【００１５】
（第１の実施の形態）
図１は本発明の第１の実施形態に係る携帯指先ランプの平面図、図２はその裏面図である。まず、この携帯指先ランプの全体構成を説明すれば、内部に電池が収容され、かつ人の手首に装着される大きさの筐体１と、筐体１の片側部（指先方向）から指先近くまで伸長する形状保持型非弾性フレキシブルチューブ２と、フレキシブルチューブ２の先端に取り付けられた発光部３、この実施形態ではＬＥＤ３と、筐体１に装着され、該筐体１を手首に保持するための巻付けベルト４とを有している。なお、前記フレキシブルチューブ２の形状保持型非弾性の意味については、さらに後述する。
【００１６】
筐体１は、例えば一般の腕時計に類似した全体外殻形状を成し、側壁をもつ凹形の底板５と、底板５に被さる上板６とを有し、底板５はその両側部に長溝状のベルト通し部が形成されている。また、底板５と上板６は止めビス７等によって一体化されて内部に後述する電池収容空間部が形成される。筐体１の大きさは通常の腕時計と同程度の大きさ、あるいはこれより若干大きい程度である。
【００１７】
図示のように筐体１の一部からスイッチノブ８が露出しており、このスイッチノブ８をＯＮ、ＯＦＦの２方向に切り替えることによってフレキシブルチューブ先端のＬＥＤ３が点灯あるいは消灯される。
【００１８】
図３は前記筐体の上板を取り外した状態の平面図、図４は筐体内に収容される電池保持部材の平面図である。この実施形態の底板５は外周に側壁９を有し、この側壁９の一部に、フレキシブルチューブ２が伸長する孔１０と、スイッチノブ８が挿入される横長の切欠き部１１と、電池保持部材１２が出入りするための横長の開口１３とが形成されている。
【００１９】
全体として符号１２で示す電池保持部材は、底板５の板面中央に収容される円板形の電池搭載部１４と、電池搭載部１４から側方へ張り出した枢支部１５とを有し、また電池保持部材１２の外殻片側部には底板５の側壁９と略同等の曲率をもつ円弧状側壁１６が形成され、さらに収容された電池の外周部を拘束する電池位置決め用突部１７が電池搭載部１４の外周に形成されている。
【００２０】
電池保持部材１２の枢支部１５に形成される軸孔に、底板５の板面から突出した短軸１８が挿入され、この短軸１８を支点にして電池保持部材１２は底板５の中央位置から底板側部の前記開口１３を通して底板５の外側へ回動（矢印Ａ）するようになっている。電池保持部材１２が底板５の中央位置に収容されたとき、電池搭載部１４の円弧状側壁１６が底板５の側部開口１３を閉塞するようになっている。
【００２１】
この実施形態でスイッチノブ８は、全体としてはＬ形に折曲した形状を成し、このＬ形の片辺部は筐体側部に形成された切欠き部１１から筐体外へ露出し、かつ丸味を帯びた短柱状に形成され、他方の片辺部８ａは平板状で切欠き部１１から筐体内に延在し、かつ底板５の底面から突出した短軸１９に軸支されている。スイッチノブ８は、この短軸１９を支点にして手動操作で横長の切欠き部１１の長さ範囲で回動し、前述したように電源ＯＮ位置とＯＦＦ位置に切り替えられる。
【００２２】
底板５の側部開口１３位置と略反対側の位置で、底板５内の底面に板状の固定端子部２０が固着されている。また、スイッチノブ８の平板状片辺部８ａの下面には同様に板状の可動端子部２１が固着されている。電池２２を電池保持部材１２の電池搭載部１４に位置決め状態に載せて電池搭載部１４を筐体内に収納したとき、板状の固定端子部２０が電池搭載部１４の板面と電池２２との間に挿入されて該電池２２の下面と接触する。また、電池搭載部上の電池２２は該搭載部１４に対して遊動しないように上板６によって部分的（電池中央付近）に軽く押し付けられている。なお、本発明の実施形態に適用される電池は、円盤状のリチューム電池（Ｌｉｔｈｉｕｍ  Ｃｅｌｌ）であり、例えば小径のものを２個程度重ねて３〜５Ｖ程度の出力を得るようにしている。
【００２３】
図４は電池保持部材の平面図である。前述の如く、円板形の電池搭載部１４の外周に形成される電池位置決め用突部１７は、その内周壁１７ａが電池の外周に接当して該電池を位置決めするが、この内周壁１７ａは一部分が欠除されており、この欠除部分から電池の側部が露出し、これによって消耗した電池の取り出し、交換が容易となる。
【００２４】
また、前記欠除部分の位置における電池搭載部１４の板面（図４の斜線Ｄ部分）は該搭載部１４の他の板面部分より僅かに低くなるように削られている。したがって、電池を電池搭載部１４の板面に載置したとき、この削られた板面（Ｄ部分）と電池下面との間に僅かな隙間が生じる。この状態で、前述の如く電池搭載部１４を筐体内に収納したとき、この隙間から固定端子部２０が電池搭載部１４と電池との間に挿入され、該端子部２０と電池の下面が接触する。なお、他の変形例として、図４の斜線Ｄ部分を完全に切除して、この位置で固定端子部２０と電池の下面が接触するようにしてもよい。
【００２５】
ここで、スイッチノブ８をＯＮ位置へ回動（矢印Ｂ）させると、筐体内で該ノブ８の平板状片辺部８ａの可動端子部２１が電池搭載部１４上の電池２２の上面に接触して電源ＯＮの状態となり、スイッチノブ８をＯＦＦ位置へ回動させると、可動端子部２１は電池２２の上面から離脱し、これによって電源ＯＦＦとなる（図３の状態）。なお、スイッチノブ８は、携帯指先ランプの振動や揺動、その他の衝撃によって位置ずれしないように、ＯＮ位置とＯＦＦ位置で切欠き部１１との間で微小突起と窪みによるノッチ係合がなされるように配慮されている。
【００２６】
固定端子部２０および可動端子部２１に半田付け等で接続される一対の導電線２３は、互いに絶縁被覆された状態で、前記筐体の孔１０から伸長するフレキシブルチューブ２内を通って先端のＬＥＤ３（図１）に接続される。このフレキシブルチューブ２は、可撓性を有して手で自在に曲げたり、真直な状態にしたりすることができるが、この変形させた状態を維持して自身の弾性力で元の状態に自然に戻るということはなく、この点でこのチューブ２は形状保持型非弾性可撓チューブとなっている。例えば、フレキシブルチューブ２は図１のわん曲した状態から図２の真直な状態に手で伸ばしたとき、この真直な伸長状態を維持する。また例えば、中途部を「く」形に曲げたとき、この「く」形の形状を維持する。フレキシブルチューブ２の先端には、接続端子（図示せず）を内蔵した小ケース２４（図１，図２）が取り付けられ、このケース２４の先端からＬＥＤ３が露出し、スイッチノブ８を電源ＯＮの状態にすることにより、ＬＥＤ３が発光して周囲を照射する。
【００２７】
図１および図２を参照すれば、底板５の両側部にベルト通し溝２５（図１，図３）に挿入されたベルト４は、この実施形態では、一端部の表面および他端部の裏面に、布製ファスナーあるいは接着布などによる固着部材２６，２７が貼着されている。筐体１を手首の背側に位置させてベルト４を手首に巻き付け、その両端部の固着部材２６，２７でベルト４の端部を重ね合せて結合することにより、筐体１が手首に固定される。このとき、フレキシブルチューブ２を手の甲から中指の背面に沿うように伸長させ、その先端のＬＥＤ３を中指の爪付近に位置させる。
【００２８】
暗い場所で、手先で何らかの作業を行うとき、スイッチノブ８をＯＮにすれば、中指の爪付近でＬＥＤ３が発光し、手先周囲が明かるくなり、暗い場所での作業が可能となる。フレキシブルチューブ２は手の甲側で伸長し、ＬＥＤ３は爪の上側付近に位置するので、掌、あるいは指先の作業の邪魔になることはない。作業の状況により、フレキシブルチューブ２を曲げて、例えば親指の近くに位置させて手先を照らすようにすることもできる。
【００２９】
この携帯指先ランプの使用例として、薄暗い黄昏時、朝方のかわたれ時あるいは夜中に海釣りなどをする場合、釣針に餌を付ける際などに使用してきわめて有用である。また、外部の照明が届かない奥まった場所で、手を伸ばしてねじ止めや配線作業などをする場合にも、手先の周囲がＬＥＤで照射されるので、暗い場所でも有効に作業が行える。
【００３０】
長期間の使用により、電池２２が切れた場合は、筐体１の底板側部の開口１３を閉塞している電池保持部材１２の円弧状側壁１６を開くと、これと一体になっている電池搭載部１４が開口１３から筐体１の外側方へ露出するので、ここで電池２２を交換し、再び底板側部の開口１３を閉めることにより、電池搭載部１４上の電池２２の下面が筐体１内の固定端子部２０と接触し、このようにしてきわめて簡単に電池２２の交換ができる。使用者の操作としては、筐体側部の円弧状側壁１６を外方へ開いて電池搭載部１４に電池を載せて再び円弧状側壁１６を閉めるだけでよい。
【００３１】
なお、上述の実施形態では、底板５を凹形とし、底板５の側壁に開口１３やスイッチノブ８の入る切欠き部１１、フレキシブルチューブ２の挿入孔１０などを形成したが、底板、上板ともに凹形とし、前記開口や前記切欠き部、フレキシブルチューブの挿入孔を底板と上板の両方の側部に形成して、両板が合体したとき両板の開口や横溝、チューブ挿入孔が整合するようにしてもよいことは勿論である。
【００３２】
（第２の実施の形態）
図５（Ａ），（Ｂ）は本発明の第２の実施形態の部分的な側面図である。この第２の実施形態でも、フレキシブルチューブ２は形状保持型非弾性可撓チューブとなっているが、その剛性は第１実施形態の場合よりやや弱く、曲げに対して柔らかい材料で形成されている。この場合も、フレキシブルチューブ２は筐体１を手首に装着したとき、フレキシブルチューブ２の先端は指先近傍まで伸びるが、この第２の実施形態ではフレキシブルチューブ２の先端近くの部分、具体的には中指の爪近く、例えば指の第２関節近くに対応する位置に止め具３０が装着されており、この止め具３０によってフレキシブルチューブ２を中指に固定することができる。
【００３３】
止め具３０としては、帯状の布片にホックあるいは布製ファスナーを取り付けたもの、あるいは指先を挿入するのに適したリング体などが採用可能である。図５（Ｂ）のように、止め具３０でフレキシブルチューブ２を指先に固定したとき、作業の際に指を若干曲げても、フレキシブルチューブ２は第１の実施形態のものより、曲げに対して軟弱に造られているので、指の折り曲げに追従して常に指に沿うように変形する。これによって、作業中フレキシブルチューブ２が指先から離れて他の箇所に当たってしまう心配がなくなり、また、有効に指先およびその近傍を照射することができる。
【００３４】
なお、上述の実施形態では、フレキシブルチューブを沿わせる指として中指を例にとって説明したが、作業の種類や作業の状況により、人指し指、薬指あるいは親指などに沿わせるようにしてもよい。筐体の上板に液晶表示の時計を組み込むことも可能である。また、必ずしも手先作業の際に使用することに限定されるものではなく、暗い場所で人を引率、誘導する場合とか、指先ランプの装着者の位置を他の人に視認させる場合などにも有効であり、さらに例えば宴会などで踊りや余興に際して装着し、注目を惹くような使用も可能である。このように本発明の携帯指先ランプは多枝の分野で使用して有用である。
【図面の簡単な説明】
【００３５】
【図１】本発明の第１の実施形態に係る携帯指先ランプの平面図である。
【図２】図１に示す携帯指先ランプの裏面図である。
【図３】筐体の上板を取り外した状態の平面図である。
【図４】筐体内に収容される電池保持部材の平面図である。
【図５】本発明の第２の実施形態の部分的な側面図である。
【符号の説明】
【００３６】
１  筐体
２  フレキシブルチューブ
３  発光部（ＬＥＤ）
４  巻付けベルト
５  底板
６  上板
８  スイッチノブ
１２  電池保持部材
１４  電池搭載部
２０  固定端子部
２１  可動端子部
２２  電池
【図１】
2007048518.tif 000003
【図２】
2007048518.tif 000004
【図３】
2007048518.tif 000005
【図４】
2007048518.tif 000006
【図５】
2007048518.tif 000007